(57)【要約】【課題】複数の機器からなるシステムにおいて、未処理データの処理結果を効率よく、取得する。【解決手段】携帯端末１０１には複数のＪＰＥＧファイルが記憶されている。携帯端末１０１において選択されたＪＥＰＥＧファイルに対応するＲＡＷファイルを保持する保存機器に関する機器情報をサーバー装置１０７に問い合わせる。そして、携帯端末１０１はサーバー装置から受けた機器情報に応じて、保存機器に接続して、選択したＪＰＥＧファイルに対応するＲＡＷファイルに対する現像処理を要求する。【選択図】図１１
2016048911.tif 000002
【特許請求の範囲】
【請求項１】
複数の処理済データを記憶する記憶手段と、
前記処理済データと対応する未処理データを保持する外部機器に関する機器情報を取得する取得手段と、
前記機器情報を用いて前記外部機器と通信し、前記未処理データを要求する要求手段と、
を有することを特徴とする情報処理装置。
【請求項２】
前記取得手段はネットワークを介して、前記機器情報を管理する情報管理装置から前記機器情報を取得することを特徴とする請求項１に記載の情報処理装置。
【請求項３】
前記未処理データを要求した外部機器が現像処理を実行することにより生成した現像画像を前記外部機器から受信する受信手段をさらに備えたことを特徴とする請求項１又は２に記載の情報処理装置。
【請求項４】
前記機器情報は前記外部機器が備える現像能力および前記外部機器の遠隔起動可否のうち少なくとも１つを含み、前記要求手段は、前記複数の外部機器に対して前記機器情報にしたがって順に要求することを特徴とする請求項１乃至３のいずれか１項に記載の情報処理装置。
【請求項５】
撮像素子により得られたデータに対し、所定の処理が実行されていない未処理データおよび、前記所定の処理が実行されている処理済データのうち、前記処理済データを取得する第１の取得手段と、
前記処理済データを、前記未処理データおよび前記処理済データを固有に識別する識別子に関連づけて記憶する記憶手段と、
前記識別子と対応づけられた未処理データを保持する保存機器に関する機器情報を取得する第２の取得手段と、
前記機器情報にしたがって、前記保存機器に対し、前記未処理データの現像処理を要求する要求手段と、
前記未処理データの現像処理結果を受信する受信手段と、
を備えることを特徴とする情報処理装置。
【請求項６】
前記機器情報はネットワーク上の情報管理装置により管理され、前記取得手段は前記機器情報を前記情報管理装置から前記ネットワークを介して取得することを特徴とする請求項５に記載の情報処理装置。
【請求項７】
情報処理装置の制御方法であって、
複数の処理済データをメモリに記憶する記憶ステップと、
前記処理済データと対応する未処理データを保持する外部機器に関する機器情報を取得する取得ステップと、
前記機器情報を用いて前記外部機器と通信し、前記未処理データを要求する要求ステップと、
を有することを特徴とする制御方法。
【請求項８】
情報処理装置の制御方法であって、
撮像素子により得られたデータに対し、所定の処理が実行されていない未処理データおよび、前記所定の処理が実行されている処理済データのうち、前記処理済データを取得する第１の取得ステップと、
前記処理済データを、前記未処理データおよび前記処理済データを固有に識別する識別子に関連づけてメモリに記憶する記憶ステップと、
前記識別子と対応づけられた未処理データを保持する保存機器に関する機器情報を取得する第２の取得ステップと、
前記機器情報にしたがって、前記保存機器に対し、前記未処理データの現像処理を要求する要求ステップと、
前記未処理データの現像処理結果を受信する受信ステップと、
を備えることを特徴とする制御方法。
【請求項９】
情報処理装置で用いられる制御プログラムであって、
前記情報処理装置が備えるコンピュータに、
複数の処理済データをメモリに記憶する記憶ステップと、
前記処理済データと対応する未処理データを保持する外部機器に関する機器情報を取得する取得ステップと、
前記機器情報を用いて前記外部機器と通信し、前記未処理データを要求する要求ステップと、
を実行させることを特徴とする制御プログラム。
【請求項１０】
情報処理装置で用いられる制御プログラムであって、
前記情報処理装置が備えるコンピュータに、
撮像素子により得られたデータに対し、所定の処理が実行されていない未処理データおよび、前記所定の処理が実行されている処理済データのうち、前記処理済データを取得する第１の取得ステップと、
前記処理済データを、前記未処理データおよび前記処理済データを固有に識別する識別子に関連づけてメモリに記憶する記憶ステップと、
前記識別子と対応づけられた未処理データを保持する保存機器に関する機器情報を取得する第２の取得ステップと、
前記機器情報にしたがって、前記保存機器に対し、前記未処理データの現像処理を要求する要求ステップと、
前記未処理データの現像処理結果を受信する受信ステップと、
を実行させることを特徴とする制御プログラム。
【発明の詳細な説明】
【技術分野】
【０００１】
本発明は、情報処理装置、その制御方法、および制御プログラムに関し、特に、外部機器からネットワークを介してデータを受信する情報処理装置に関する。
【背景技術】
【０００２】
一般に、デジタルカメラなどの撮像装置においては、ＣＣＤ又はＣＭＯＳセンサなどの撮像素子の出力をＡ／Ｄ変換器によってＡ／Ｄ変換して画像信号（ＲＡＷデータ）を得ている。そして、所謂ＲＡＷ撮影モードが設定されていると、Ａ／Ｄ変換器の後段に備えられた画像処理部において現像処理などの画像処理を行うことなく、ＲＡＷデータはＲＡＷファイルとしてＳＤカードなどのメモリに記録される。
【０００３】
このＲＡＷファイルを画像処理する際には、情報処理装置の一つである画像処理装置（例えば、パーソナルコンピュータ）にＳＤカードを挿入する。そして、情報処理装置において画像処理（例えば、現像処理）を行って、ＲＡＷファイルに応じた画像を表示部に表示する。
【０００４】
ところで、ＲＡＷファイルは次の特徴を有している。現像処理によって、ＪＰＥＧ画像よりも高画質な画像が得られるものの、現像処理に時間が掛る。ＪＰＥＧファイルと比べてファイルサイズが大きい。一方、現像処理を行っていないＲＡＷファイルに対してでないと行うことができない画質調整機能（以下ＲＡＷ機能と呼ぶ）が存在する。
【０００５】
従って、画像を簡易的に表示する際には、ＪＰＥＧファイルを用い、ＲＡＷ機能を用いる際にのみＲＡＷファイルを用いることが望ましい。
【０００６】
このため、近年、撮像装置においては、ＲＡＷファイルをメモリに記録するとともに、ＪＰＥＧファイルをメモリに記録するモードである「ＲＡＷ＋ＪＰＥＧ撮影モード」が備えられたものがある。
【０００７】
「ＲＡＷ＋ＪＰＥＧ撮影モード」を用いて撮影を行った際には、撮像装置からＲＡＷファイルおよびＪＰＥＧファイルを情報処理装置に転送する。そして、情報処理装置では通常ＪＰＥＧファイルを用いて画像表示を行い、色調整などＲＡＷ機能を用いる際には、ＲＡＷファイルを用いることになる。
【０００８】
以下、ＪＰＥＧファイルに対して組となるＲＡＷファイルを同時記録ＲＡＷファイルと呼ぶこととする。また、ＲＡＷファイルに対して組となるＪＰＥＧファイルを同時記録ＪＰＥＧファイルと呼ぶこととする。
【０００９】
上述のように、情報処理装置において、撮影の結果得られた同時記録ＪＰＥＧファイルおよび同時記録ＲＡＷファイルを用いる際には、これら組となるファイルを管理する必要がある。
【００１０】
ところで、従来、画像処理システムとして、クライアントがＲＡＷファイルをネットワークを介してサーバーに送信してサーバーでＲＡＷデータを現像するようにしたものが知られている（特許文献１）。
【先行技術文献】
【特許文献】
【００１１】
【特許文献１】ＷＯ０８／０７５７４５号公報
【発明の概要】
【発明が解決しようとする課題】
【００１２】
従来技術によれば、クライアントは大きなサイズのＲＡＷファイルを保持していなければならず、クライアントは記憶容量の大きな装置に限られてしまうという問題があった。また、クライアントからＲＡＷファイルを現像サーバーに送信する際、ＲＡＷファイルのファイルサイズが大きいため、通信負荷がかかるという問題があった。
【００１３】
従って、本発明の目的は、ＲＡＷファイルを現像して得られる現像画像を効率よく取得することのできる情報処理装置、その制御方法、およびプログラムを提供することにある。
【課題を解決するための手段】
【００１４】
上記の目的を達成するため、本発明による情報処理装置は、複数の処理済データを記憶する記憶手段と、前記処理済データと対応する未処理データを保持する外部機器に関する機器情報を取得する取得手段と、前記機器情報を用いて前記外部機器と通信し、前記未処理データを要求する要求手段と、を有することを特徴とする。また、本発明による情報処理装置は、撮像素子により得られたデータに対し、所定の処理が実行されていない未処理データおよび、前記所定の処理が実行されている処理済データのうち、前記処理済データを取得する第１の取得手段と、前記処理済データを、前記未処理データおよび前記処理済データを固有に識別する識別子に関連づけて記憶する記憶手段と、前記識別子と対応づけられた未処理データを保持する保存機器に関する機器情報を取得する第２の取得手段と、前記機器情報にしたがって、前記保存機器に対し、前記未処理データの現像処理を要求する要求手段と、前記未処理データの現像処理結果を受信する受信手段と、を備えることを特徴とする。
【００１５】
本発明による制御方法は、情報処理装置の制御方法であって、複数の処理済データをメモリに記憶する記憶ステップと、前記処理済データと対応する未処理データを保持する外部機器に関する機器情報を取得する取得ステップと、前記機器情報を用いて前記外部機器と通信し、前記未処理データを要求する要求ステップと、を有することを特徴とする。また、本発明による制御方法は、情報処理装置の制御方法であって、撮像素子により得られたデータに対し、所定の処理が実行されていない未処理データおよび、前記所定の処理が実行されている処理済データのうち、前記処理済データを取得する第１の取得ステップと、前記処理済データを、前記未処理データおよび前記処理済データを固有に識別する識別子に関連づけてメモリに記憶する記憶ステップと、前記識別子と対応づけられた未処理データを保持する保存機器に関する機器情報を取得する第２の取得ステップと、前記機器情報にしたがって、前記保存機器に対し、前記未処理データの現像処理を要求する要求ステップと、前記未処理データの現像処理結果を受信する受信ステップと、を備えることを特徴とする。
【００１６】
本発明による制御プログラムは、情報処理装置で用いられる制御プログラムであって、前記情報処理装置が備えるコンピュータに、複数の処理済データをメモリに記憶する記憶ステップと、前記処理済データと対応する未処理データを保持する外部機器に関する機器情報を取得する取得ステップと、前記機器情報を用いて前記外部機器と通信し、前記未処理データを要求する要求ステップと、を実行させることを特徴とする。また、本発明による制御プログラムは、情報処理装置で用いられる制御プログラムであって、前記情報処理装置が備えるコンピュータに、撮像素子により得られたデータに対し、所定の処理が実行されていない未処理データおよび、前記所定の処理が実行されている処理済データのうち、前記処理済データを取得する第１の取得ステップと、前記処理済データを、前記未処理データおよび前記処理済データを固有に識別する識別子に関連づけてメモリに記憶する記憶ステップと、前記識別子と対応づけられた未処理データを保持する保存機器に関する機器情報を取得する第２の取得ステップと、前記機器情報にしたがって、前記保存機器に対し、前記未処理データの現像処理を要求する要求ステップと、前記未処理データの現像処理結果を受信する受信ステップと、を実行させることを特徴とする。
【発明の効果】
【００１７】
本発明によれば、処理済データ（例えば、ＪＰＥＧファイル）と対応する未処理データ（例えば、ＲＡＷファイル）を保持する機器（他機器）に対して、未現像データの現像処理を要求するので、記憶容量や通信能力の低い情報処理装置であっても、処理結果を効率よく取得することができる。
【図面の簡単な説明】
【００１８】
【図１】本発明の第１の実施形態による情報処理装置を備える画像処理システムの一例を示す図である。
【図２】携帯端末、カメラ、ＰＣ、およびサーバー装置の構成を示すブロック図である。
【図３】携帯端末、ＰＣ、又はカメラとサーバー装置とによって行われる機器登録処理を説明するためのフローチャートである。
【図４】（Ａ）は機器登録要求情報を示す図、（Ｂ）は保存機器情報を示す図である。
【図５】保存機器がサーバー装置にファイル登録要求情報を送信した際のファイル管理情報の更新処理を説明するための図である。
【図６】保存機器とサーバー装置１０７で行われるファイル登録処理を説明するためのフローチャートである。
【図７】（Ａ）はファイル登録要求情報を示す図、（Ｂ）はファイル管理情報を示す図である。
【図８】（Ａ）はＲＡＷファイル位置問い合わせ要求情報を示す図、（Ｂ）は携帯端末とサーバー装置とによって行われるＲＡＷファイル位置取得処理を説明するためのフローチャートである。
【図９】（Ａ）はＲＡＷファイル検索現像要求情報を示す図、（Ｂ）は携帯端末と保存機器とによって行われるＲＡＷファイル検索現像処理を説明するためのフローチャートである。
【図１０】保存機器におけるＲＡＷファイル検索現像処理を説明するためのフローチャートである。
【図１１】携帯端末におけるＲＡＷ現像表示処理を説明するためのフローチャートである。
【図１２】画像処理システムにおいて、携帯端末と保存機器とによって行われるＲＡＷファイル検索現像処理の一例を説明するためのフローチャートである。
【図１３】携帯端末におけるＲＡＷ現像表示処理の一例を説明するためのフローチャートである。
【図１４】画像処理システムにおいて行われるＲＡＷ現像画像取得処理を説明するためのフローチャートである。
【発明を実施するための形態】
【００１９】
以下に、本発明の実施の形態による情報処理装置の一例について図面を参照して説明する。
【００２０】
［第１の実施形態］
＜全体システム構成＞
図１は、本発明の第１の実施形態による情報処理装置を備える画像処理システムの一例を示す図である。
【００２１】
図１において、携帯端末１０１はタブレットコンピュータ又はスマートフォーンなどの通信機能を備えた可搬の情報処理装置である。携帯端末１０１には、デジタルカメラ（以下単にカメラと呼ぶ）での撮影処理により得られたＲＡＷデータに対して現像処理を行うことで生成された画像ファイル（例えば、ＪＰＥＧファイル）が格納される。
【００２２】
ユーザによる操作に応じて、携帯端末１０１は、複数のＪＰＥＧファイルをサムネイル画像として表示することができる。さらに、携帯端末１０１は複数のＪＰＥＧファイルの中から選択されたものを拡大して表示することができる。
【００２３】
パーソナルコンピュータ（ＰＣ）１０５は情報処理装置であり、携帯端末１０１に比べて大容量のハードディスクドライブ（ＨＤＤ）を備えており、ＨＤＤにはＪＰＥＧファイルに対応するＲＡＷデータを含むＲＡＷファイルが記憶される。
【００２４】
サーバコンピュータ装置（以下、サーバ装置という）１０７は情報管理装置であり、インターネットなどのネットワークを介して携帯端末１０１、カメラ１０２、およびＰＣ１０５に接続される。
【００２５】
上記のサーバー装置１０７、携帯端末１０１、カメラ１０２、およびＰＣ１０５はルーティング機能を提供するルーター１０９によって接続される。ここでは、ルーター１０９は通信方式として、無線ＬＡＮ規格の一つであるＷｉｆｉを用いるものとするが、他の通信方式を用いるようにしてもよい。
【００２６】
なお、サーバー装置１０７、携帯端末１０１、カメラ１０２、およびＰＣ１０５の各々の中にはＷＯＬ（Ｗａｋｅ−ｏｎ−ＬＡＮ）に対応しているものがある。他の機器はＷＯＬ機器に対してマジックパケットを送信することによって、ＷＯＬ機器の起動および終了を遠隔で行うことができる。
【００２７】
カメラ１０２は、他の機器を選択し、自動又は手動で撮像の結果得られた画像ファイル（ＪＰＥＧファイル又はＲＡＷファイル）を選択された他の機器へ送信することができる。
【００２８】
図示の例では、説明の簡略化のため、サーバー装置１０７、携帯端末１０１、カメラ１０２、およびＰＣ１０５がそれぞれ一つ備えられているが、これらサーバー装置１０７、携帯端末１０１、カメラ１０２、およびＰＣ１０５の各々は複数存在していてもよい。
【００２９】
カメラ１０２は、一度の撮像指示に応答して撮像処理を実行し、複数の形式のうちいずれか１つの形式の画像データを含むファイルを生成して記録するように設定できる。また、カメラ１０２は、一度の撮像指示に応答して撮像処理を実行し、複数の形式の画像データを含む画像ファイルを生成し、これらの画像ファイルを組にして記録するように設定することができる。本実施形態において、一度の撮像指示に対して、複数の形式の画像データの組を記録するように設定されていることを、同時記録モードという。例えば、１つの形式としてはＲＡＷファイルであり、撮像素子から出力されたデータを、ウエーブレット変換や、差分符号化等の技術を用いて高能率符号化し、圧縮された状態に変換したＲＡＷデータを含む画像ファイルである。すなわち、ＲＡＷファイルは、カメラ１０２の撮像素子から出力された直後のデータがそのままに近い状態で記録されたものである。ここで、ＲＡＷデータは、可逆圧縮されていてもよい。そして、ＲＡＷファイルのＲＡＷデータに対して現像処理やＪＰＥＧ形式の圧縮処理を実行してＪＰＥＧファイルを取得する。ここで、現像処理は所定の調整値を用いて実行される。上記のことから、所定の処理が未だ実行されていないためＲＡＷファイルを未処理データ、それに対して、ＪＰＥＧファイルを処理済データと呼ぶこともできる。
【００３０】
なお、ＪＰＥＧ形式の代わりにＴＩＦＦ形式などの他のファイル形式に変換して得られた画像ファイルであっても同様に本発明を実現できる。また、ＪＰＥＧファイルはＲＡＷファイルから生成されるものに限らない。例えば、カメラ１０２の撮像素子から出力された直後のデータをウエーブレット変換や差分符号化等の技術を用いて高能率符号化し、圧縮された状態に変換し、ＲＡＷデータを生成して現像処理を実行し、ＪＥＰＧのファイル形式に変換してＪＰＥＧファイルを生成してもよい。ここで、ＪＰＥＧファイルを生成するための現像処理は、例えば、コントラスト、ホワイトバランス、カラーバランス、明度、彩度等のパラメータの調整処理が含まれる。このように、ＪＰＥＧファイルはデータに対して圧縮処理が実行されているので、ＲＡＷファイルに比べてデータ量が小さい一方で、撮像素子から得られたデータに対する劣化が大きい。
【００３１】
図２は、図１に示す携帯端末１０１、カメラ１０２、ＰＣ１０５、およびサーバー装置１０７の構成を示すブロック図である。
【００３２】
携帯端末１０１は不揮発性メモリを備えており、この不揮発性メモリとして、例えば、ＳＳＤ（Ｓｏｌｉｄ  Ｓｔａｔｅ  Ｄｒｉｖｅ）２０１が用いられる。携帯端末のように携帯するケースが多い機器においては、ＰＣなどで一般的に備えられるＨＤＤ（ＨａｒｄＤｉｓｋ  Ｄｒｉｖｅ）ではなく、消費電力が少なく、かつ衝撃に強いＳＳＤが用いられる。
【００３３】
一方、ＳＳＤはＨＤＤと比べてビット単価が高いので、携帯端末１０１に備えられるＳＳＤ２０１の容量は１６ＧＢなどであって、多数のＲＡＷファイル（未現像の画像ファイル）を記憶するためには不向きである。
【００３４】
ＳＳＤ２０１には、カメラ１０２において「ＲＡＷ＋ＪＰＥＧ撮影モード」で撮影されたＪＰＥＧファイル２０２、２０３、および２０４が記録されている。ＪＰＥＧファイル２０２、２０３、および２０４に対応する同時記録ＲＡＷファイルについては、ＳＳＤ２０１の容量を考慮してカメラ１０２から未転送の状態となっている。そして、これら同時記録ＲＡＷファイルはＰＣ１０５にのみ転送されている。
【００３５】
ＳＳＤ２０１には、プログラム記憶部２０７が規定されており、このプログラム記憶部２０７には携帯端末１０１で実行されるプログラムおよび基本オペレーティングシステム（ＯＳ）が格納されている。そして、プログラム記憶部２０７から、一次メモリであるＤＲＡＭ（Ｄｙｎａｍｉｃ  Ｒａｎｄｏｍ  Ａｃｃｅｓｓ  Ｍｅｍｏｒｙ）２０８にプログラムが読み込まれて、ＣＰＵ（Ｃｅｎｔｒａｌ  Ｐｒｏｃｅｓｓｉｎｇ  Ｕｎｉｔ：中央処理装置）２１９によってこれらプログラムが実行される。
【００３６】
図示の例では、ＤＲＡＭ２０８には、プログラムとして、オペレーティングシステム（ＯＳ）２１５、制御プログラム２０９、表示制御プログラム２１０、画像処理プログラム２１１、同時記録ＲＡＷ取得プログラム２１２、及び通信制御プログラム２１３が展開されている。さらに、ＤＲＡＭ２０８には、ＣＰＵ２１９の作業領域である作業用メモリ２１４が規定されている。
【００３７】
制御プログラム２０９は各種プログラム実行シーケンスの制御などの各種動作を制御するためのプログラムである。表示制御プログラム２１０は、表示部２１６の表示を制御するためのプログラムである。画像処理プログラム２１１は、画像データ（画像ファイル）に対する各種画像処理（例えば、明るさ調整、コントラスト調整、シャープネス調整、色の濃さ調整、ノイズ緩和、およびホワイトバランス調整）を行うためにプログラムである。
【００３８】
同時記録ＲＡＷ取得プログラム２１２は、ユーザがＪＰＥＧファイル２０２〜２０４から１つのＪＰＥＧファイルを選択画像ファイルとして選択した際、同時記録ＲＡＷファイルを他の機器から検索して取得するためのプログラムである。
【００３９】
通信制御プログラム２１３は通信部２１８を制御するためのプログラムである。作業用メモリ２１４はＤＲＡＭ２０８上の各プログラムを実行する際のワーキングメモリとして使用されるメモリ領域である。
【００４０】
表示部２１６には画像などが表示され、表示部２１６は、例えば、液晶ディスプレイである。入力部２１７は、ユーザが各種指示を入力するためのものであり、例えば、タッチパネルを有している。また、携帯端末１０１は通信部２１８を用いて他の機器と通信を行う。
【００４１】
なお、上述の表示部２１６、入力部２１７、ＳＳＤ２０１、ＣＰＵ２１９、ＤＲＡＭ２０８、および通信部２１８は内部バス２２０によって相互に接続されている。また、図２に示す例では、他の構成要素は省略されており。通常の携帯端末と同様の構成要素を有している。
【００４２】
ＰＣ１０５は不揮発性メモリとして、例えば、ＨＤＤ２３１を有している。このＨＤＤ２３１は、例えば、５００ＧＢ程度の容量を備えている。
【００４３】
ＨＤＤ２３１には、カメラ１０２において「ＲＡＷ＋ＪＰＥＧ撮影モード」で撮影されたＲＡＷファイル２３２、２３３、および２３４が記録されている。これらＲＡＷファイル２３２、２３３、および２３４はそれぞれＪＰＥＧファイル２０２、２０３、および２０４に対応するものである。ＲＡＷファイル２３２〜２３４の各々は可逆圧縮されたものであり、画像データの複雑度によってファイルサイズは異なるが、１ファイル当たり２０ＭＢ程度である。
【００４４】
よって、５００ＧＢのＨＤＤ２３１であれば、２５０００枚程度のＲＡＷファイルを格納することができる。そして、この容量は一般的なユーザの撮影頻度を考慮すると、十分な記憶容量である。
【００４５】
ＨＤＤ２３１には、プログラム記憶部２３５が規定されており、このプログラム記憶部２３５にはＰＣ１０５で実行されるプログラムおよびＯＳが格納されている。そして、プログラム記憶部２３５から、ＤＲＡＭ２３６にプログラムが読み込まれて、ＣＰＵ２４３によってこれらプログラムが実行される。
【００４６】
図示の例では、ＤＲＡＭ２３６には、プログラムとして、ＯＳ２４０、制御プログラム２３７、および通信制御プログラム２３８が展開されている。さらに、ＤＲＡＭ２３６には、ＣＰＵ２４３の作業領域である作業用メモリ２３９が規定されている。
【００４７】
制御プログラム２３７は各種プログラム実行シーケンスの制御などの各種動作を制御するためのプログラムであり、制御プログラム２３７によって表示部２４１の制御なども行われる。
【００４８】
通信制御プログラム２３８は通信部２４６を制御するためのプログラムである。作業用メモリ２３９はＤＲＡＭ２３６上の各プログラムを実行する際のワーキングメモリとして用いられるメモリ領域である。
【００４９】
表示部２４１には画像および各種情報が表示され、表示部２４１は、例えば、液晶ディスプレイである。入力部２１７は、ユーザが各種指示を入力するためのものであり、例えば、キーボードおよびポインティングデバイスを有している。
【００５０】
電源スイッチ２４４は、ＰＣ１０５を起動又はシャットダウンする際にユーザが操作するボタンを備えている。また、ＰＣ１０５は通信部２４６を用いて他の機器と通信を行う。
【００５１】
なお、上述の表示部２４１、入力部２４２、ＨＤＤ２３１、ＣＰＵ２４３、ＤＲＡＭ２３６、および通信部２４６は内部バス２４５によって相互に接続されている。また、図２に示す例では、他の構成要素は省略されており。通常のＰＣと同様の構成要素を有している。
【００５２】
図２に示すサーバー装置１０７の構成は、ＰＣ１０５と同様であるので、ここでは説明を省略する。
【００５３】
カメラ１０２はメモリカード２６１として、例えば、ＳＤカードを有しており、このメモリカード２６１はカメラ１０２に対して着脱可能である。そして、メモリカード２６１には、カメラ１０２による撮影の結果得られた画像データ（ＲＡＷファイル）が記録される。
【００５４】
メモリカード２６１には、カメラ１０２において「ＲＡＷ＋ＪＰＥＧ撮影モード」で撮影されたＲＡＷファイル２６２、２６３、および２６４が記録されている。これらＲＡＷファイル２６２、２６３、および２６４は同時記憶によるＪＰＥＧファイルとＲＡＷファイルとを有している。
【００５５】
ＲＯＭ２６５には制御プログラムが格納され、ＲＯＭ２６５から、ＤＲＡＭ２６６に制御プログラムが読み込まれて、ＣＰＵ２７６によって制御プログラムが実行される。なお、ＤＲＡＭ２６６には、ＣＰＵ２７６の作業領域である作業用メモリ２６９が規定されている。
【００５６】
電源スイッチ２７４は、カメラ１０２を起動又はシャットダウンする際にユーザが操作するボタンを有している。撮像部２７５は、撮影レンズユニット、絞り、シャッタ、ＭＯＳ又はＣＣＤセンサなどの撮像素子、およびＡ／Ｄ変換器などを有しており、被写体を撮影して画像信号を得る。
【００５７】
画像処理プロセッサ２７７は撮像部２７５の出力である画像信号（つまり、ＲＡＷデータ）に対して所定の画像処理（現像処理など）を施して、例えば、ＪＰＥＧファイルを生成する。Ｗｉｆｉ通信部２７３は、ＣＰＵ２７６の制御下で他の機器と通信を行う。
【００５８】
表示部２４１には画像および各種情報が表示され、表示部２４１は、例えば、液晶ディスプレイである。入力部２１７は、ユーザが各種指示を入力するためのものであり、例えば、各種ボタンおよびキーを有している。
【００５９】
なお、図２に示す例では、他の構成要素は省略されており。通常のカメラと同様の構成要素を有している。
【００６０】
いま、携帯端末１０１が表示部２１６にＪＰＥＧファイル２０２、２０３、および２０４に応じたＪＰＥＧ画像を表示しているとする。ここでは、ユーザの操作に応答して、携帯端末１０１が表示部２１６にこれらのＪＰＥＧ画像に対応するＲＡＷファイルを現像して得られた画像を表示する処理について説明する。
【００６１】
まず、携帯端末１０１、ＰＣ１０５、又はカメラ１０２を、ＲＡＷファイルを保存する保存機器として、サーバー装置１０７に登録する機器登録処理を行う際における当該保存機器およびサーバー装置１０７の処理について説明する。
【００６２】
なお、機器登録処理は携帯端末１０１、ＰＣ１０５、カメラ１０２の各々で実行するようにしてもよく、いずれかの機器が他の機器を保存機器として登録する登録処理を実行するようにしてもよい。さらに、保存機器は、携帯端末１０１、ＰＣ１０５、又はカメラ１０２において自機器に係る情報を取得して行うようにしてもよく、他の機器の情報を取得して行うようにしてもよい。
【００６３】
図３は、図２に示す携帯端末１０１、ＰＣ１０５、又はカメラ１０２とサーバー装置１０７とによって行われる機器登録処理を説明するためのフローチャートである。なお、図３においては、機器登録処理を要求する機器を要求機器と呼ぶものとする。
【００６４】
要求機器では、ＣＰＵはユーザ入力に応じて保存機器に係る機器情報を作成する（ステップＳ３０１）。続いて、ＣＰＵは、機器登録を要求する処理であることを示すコードと機器情報とを有する機器登録要求情報をサーバー装置１０７に送信する（ステップＳ３０３）。
【００６５】
サーバー装置１０７は機器登録要求情報を受信すると（ステップＳ３０５）、ＣＰＵ２４３は機器情報を保存機器情報に追加して保存機器情報を更新する保存機器情報更新処理を行う（ステップＳ３０６）。続いて、ＣＰＵ２４３は保存機器情報更新処理の結果を要求機器に送信する（ステップＳ３０７）。要求機器は保存機器情報更新処理の結果を受信して（ステップＳ３０８）、機器登録処理を終了する。
【００６６】
図４は、図３に示す機器登録処理において生成される機器登録要求情報および保存機器情報を説明するための図である。そして、図４（Ａ）は機器登録要求情報を示す図であり、図４（Ｂ）は保存機器情報を示す図である。
【００６７】
図４（Ａ）において、機器登録要求情報は、保存機器登録を要求することを示す登録要求コード４２０、グループを区別するためのグループＩＤ４２１、および機器情報４２２を有している。グループＩＤ４２１は、カメラ又はタブレットなど機器を示す情報である。
【００６８】
グループＩＤ４２１は機器を媒体として連携するグループを示す情報であってもよく、サーバー装置１０７に登録されるユーザＩＤ又は複数のユーザで構成されるグループを区別するためのＩＤであってもよい。
【００６９】
機器情報４２２は機器の種類を示す情報である機器種類４２３と機器を一意に特定するための情報である機器ＩＤおよび機器アドレス４２４を有している。
【００７０】
図４（Ｂ）において、保存機器情報は、機器登録要求処理によって登録された複数の保存機器の情報を含む。機器情報はグループを区別するためのグループＩＤ４２１、機器の種類を示す機器種類４２３、そして、機器を固有に特定する機器ＩＤおよび機器に接続するために用いられる機器アドレス４２４を有している。
【００７１】
図５は、図２において要求機器がサーバー装置１０７にファイル登録要求情報を送信した際のファイル管理情報を更新する更新処理を説明するための図である。
【００７２】
要求機器がＲＡＷファイルを保持している場合、要求機器がＲＡＷファイルを受信するか又は内部処理などによってＲＡＷファイルが追加されると、要求機器はサーバー装置１０７にファイル登録要求情報を送信する。そして、サーバー装置１０７はファイル登録要求情報を受信すると、ファイル管理情報を更新する。
【００７３】
自機器の撮像部により撮像処理を実行することによりＲＡＷファイルを取得する、あるいは他の機器からＲＡＷファイル５００を受信するなどしてＲＡＷファイル５００が記憶部に追加されると、要求機器はＲＡＷファイルからファイル情報５０４を取得するとともに自機器の機器情報５０３を記憶部から取得する。そして、要求機器は登録要求コード５０２を追加してファイル登録要求情報５０１を作成して、当該ファイル登録要求情報５０１をサーバー装置１０７に送信する。
【００７４】
サーバー装置１０７は、ファイル登録要求情報５０１を受信すると、ファイル管理情報５０５を保存する。ここでは、サーバー装置１０７において、ＣＰＵ２４３はファイル登録要求情報５０１を受信してファイル登録要求であると判定すると、ファイル登録要求情報５０１に含まれるファイル情報５０４をファイル管理情報に追加してファイル管理情報５０５を更新する。
【００７５】
図６は、図２に示す要求機器とサーバー装置１０７で行われるファイル登録処理を説明するためのフローチャートである。
【００７６】
要求機器において、ＣＰＵはＲＡＷファイルが追加されたことを検知すると、自機器に係る機器情報を作成する（ステップＳ６０１）。そして、ＣＰＵは追加されたＲＡＷファイルに係るファイル情報を作成する（ステップＳ６０２）。
【００７７】
次に、要求機器において、ＣＰＵはファイル登録を要求する処理であることを示すコード、機器情報、およびファイル情報を有するファイル登録要求情報をサーバー装置１０７に送信する（ステップＳ６０３）。
【００７８】
サーバー装置１０７において、ファイル登録要求情報を受信すると（ステップＳ６０５）、ＣＰＵ２４３は、受信したファイル登録要求情報に含まれるファイル情報をファイル管理情報に追加してファイル管理情報を更新する（ステップＳ６０６）。そして、ＣＰＵ２４３は、ファイル情報更新処理の結果を要求機器に送信する（Ｓ６０７）。
【００７９】
要求機器はファイル情報更新処理の結果をサーバー装置１０７から受信する（ステップＳ６０８）。そして、要求機器はファイル登録処理を終了する。
【００８０】
図７は、図５に示すファイル登録要求情報およびファイル管理情報を説明するための図である。そして、図７（Ａ）はファイル登録要求情報を示す図であり、図７（Ｂ）はファイル管理情報を示す図である。
【００８１】
図７（Ａ）において、ファイル登録要求情報５０１は、前述のように、ファイル登録の要求であることを示す登録要求コード５０２、自機器を示す機器情報５０３、および保存機器に追加されたＲＡＷファイルに関するファイル情報５０４を有している。
【００８２】
機器情報５０３は機器の種類を示す機器種類７２２と機器を一意に特定するための機器ＩＤ又は機器アドレス４２４を有している。ファイル情報５０４は、ＪＰＥＧファイルとＲＡＷファイルとの関連づけを一意に識別するための識別子として画像ＩＤ７２６を備えている。
【００８３】
図７（Ｂ）において、ファイル管理情報５０５は、ファイル登録要求処理によってＲＡＷファイルがいずれの保存機器に存在するかを示す情報である。ファイル管理情報５０５は、保存機器に関する機器情報５０３と当該機器に存在するＲＡＷファイルを示すファイル情報５０４とを有している。
【００８４】
なお、図５および図６に示す例では、ＲＡＷファイルを受信した保存機器がファイル登録要求情報をサーバー装置１０７に送信するようにしたが、ＲＡＷファイルを送信する機器がファイル登録要求情報をサーバー装置１０７に送信するようにしてもよい。この場合、同様にして、サーバー装置１０７はファイル管理情報を更新処理することになる。
【００８５】
図８は、図２に示す携帯端末１０１で行われるＲＡＷファイルが存在する保存機器を特定するための処理を説明するための図である。そして、図８（Ａ）はＲＡＷファイル位置問い合わせ要求情報を示す図であり、図８（Ｂ）は図２に示す携帯端末１０１とサーバー装置１０７とによって行われるＲＡＷファイル位置取得処理を説明するためのフローチャートである。
【００８６】
ここでは、携帯端末１０１が同時記憶ＪＰＥＧファイルを選択して同時記憶ＲＡＷファイルを現像して表示するため、ＲＡＷファイルが存在する保存機器を特定するものとする。
【００８７】
図８（Ａ）に示すＲＡＷファイル位置問い合わせ要求情報は、ＲＡＷファイル位置問い合わせ要求コード８１０とファイル情報５０４とを備えている。ＲＡＷファイル位置問い合わせ要求コード８１０は、サーバー装置１０７にＲＡＷファイルが存在する保存機器の問い合わせを要求することを示す。また、ファイル情報５０４はＲＡＷファイルを特定する情報である。
【００８８】
図８（Ｂ）を参照して、携帯端末１０１において、ＣＰＵ２１９はＲＡＷファイル位置問い合わせ要求情報を作成する（ステップＳ８０１）。続いて、ＣＰＵ２１９は通信部２１８によってＲＡＷファイル位置問い合わせ要求情報をサーバー装置１０７に送信する（ステップＳ８０２）。
【００８９】
サーバー装置１０７において、ＲＡＷファイル位置問い合わせ要求を受信すると（ステップＳ８０５）、ＣＰＵ２４３はＲＡＷファイル位置問い合わせ要求情報に含まれる画像ＩＤ７２６がファイル管理情報に存在するか否かを判定する（ステップＳ８０６）。当該画像ＩＤと対応する位置情報が存在すると（ステップＳ８０６において、ＹＥＳ）、ＣＰＵ２４３はＲＡＷファイルが存在する保存機器に係る機器情報を送信する（ステップＳ８０７）。
【００９０】
一方、位置情報が存在しないと（ステップＳ８０６において、ＮＯ）、ＣＰＵ２４３はエラー情報を送信する（ステップＳ８０８）。そして、携帯端末１０１において、ＣＰＵ２１９は機器情報又はエラー情報を受信すると（ステップＳ８０９）、ＲＡＷファイル位置取得処理を終了する。
【００９１】
図９は、図２に示す携帯端末１０１で行われるＲＡＷファイル検索現像要求処理を説明するための図である。そして、図９（Ａ）はＲＡＷファイル検索現像要求情報を示す図であり、図９（Ｂ）は図２に示す携帯端末１０１と保存機器とによって行われるＲＡＷファイル検索現像処理を説明するためのフローチャートである。
【００９２】
ここでは、携帯端末１０１が前述のようにしてＲＡＷファイルが存在する保存機器を特定して、当該保存機器にＲＡＷファイルの検索および検索したＲＡＷファイルの現像を要求する。そして、保存機器は検索したＲＡＷファイルの現像処理を行う。
【００９３】
図９（Ａ）に示すＲＡＷ検索現像要求情報は検索現像要求コード９１０、要求元の携帯端末１０１の宛先を示す宛先情報およびファイル情報５０４を備えている。検索現像要求コード９１０はＲＡＷファイルが存在する保存機器にＲＡＷファイルの検索および検索したＲＡＷファイルの現像処理を要求することを示す。また、ファイル情報５０４はＲＡＷファイルを特定する情報である。
【００９４】
図９（Ｂ）を参照して、携帯端末１０１において、ＣＰＵ２１９はＲＡＷ検索現像要求情報を作成する（ステップＳ９０１）。そして、ＣＰＵ２１９は通信部２１８によってＲＡＷ検索現像要求情報を位置情報にしたがってＲＡＷファイルが存在する保存機器に送信する（ステップＳ９０２）。
【００９５】
保存機器においてＲＡＷ検索現像要求情報を受信すると（ステップＳ９０３）、ＣＰＵは、後述するＲＡＷファイル検索現像処理を行って（ステップＳ９０４）、その結果を宛先情報にしたがって携帯端末１０１に送信する。そして、携帯端末においてＲＡＷファイル検索現像処理の結果を受信すると、ＣＰＵ２１９はＲＡＷファイル検索現像処理要求を終了する。
【００９６】
図１０は、図９（Ｂ）に示すＲＡＷファイル検索現像処理を説明するためのフローチャートである。
【００９７】
まず、保存機器において、ＣＰＵはＲＡＷ検索現像要求情報に含まれる画像情報が示すＲＡＷファイルを検索する（ステップＳ１００１）。そして、ＣＰＵは当該ＲＡＷファイルが自機器に存在するか否か（つまり、検索できたか否か）を判定する（ステップＳ１００２）。
【００９８】
ＲＡＷファイルが自機器に存在すると（ステップＳ１００２において、ＹＥＳ）、ＣＰＵは当該ＲＡＷファイルを現像処理する（ステップＳ１００３）。そして、ＣＰＵは現像処理によって得られた画像を含めてその結果を宛先情報にしたがって携帯端末１０１に送信して（ステップＳ１００４）、ＲＡＷファイル検索現像処理を終了する。
【００９９】
一方、ＲＡＷファイルが自機器に存在しないと（ステップＳ１００２において、ＮＯ）、ＣＰＵは検索不可結果を宛先情報にしたがって携帯端末１０１に送信する（ステップＳ１００５）。そして、ＣＰＵはＲＡＷファイル検索現像処理を終了する。
【０１００】
図１１は、図２に示す携帯端末１０１におけるＪＰＥＧファイル選択によるＲＡＷ現像表示を説明するための図である。そして、図１１（Ａ）はＪＰＥＧファイル選択によるＲＡＷ現像表示を説明するためのフローチャートであり、図１１（Ｂ）は図１１（Ａ）に示すＲＡＷ現像表示処理を説明するためのフローチャートである。
【０１０１】
ここでは、携帯端末１０１で同時記憶ＪＰＥＧファイルが選択されて、当該ＪＰＥＧファイル対応する同時記憶ＲＡＷファイルの位置をサーバー装置１０７に問い合わせる。そして、携帯端末１０１は当該ＲＡＷファイルが存在する保存機器にＲＡＷファイルの検索および現像を要求して、現像処理後の画像を携帯端末１０１に画面表示する。
【０１０２】
図１１（Ａ）を参照して、携帯端末１０１においてユーザが複数のＪＰＥＧファイルのうち一つを選択する（ステップＳ１１０１）。ここでは、携帯端末１０１は、複数のＪＰＥＧファイルについて画像をサムネイル表示することが可能である。そして、ユーザはサムネイル表示された画像のうち一つを選択すると、当該選択された画像に対応するＪＰＥＧファイルが選択されて、当該ＪＰＥＧファイルに応じた画像が画面表示される。
【０１０３】
なお、携帯端末１０１は、サーバー装置１０７との送受信によって、サーバー装置１０７に存在するファイル管理情報からＪＰＥＧファイルの名称を得る。そして、携帯端末１０１は複数のＪＰＥＧファイルに係るファイル名を表示する。ユーザは当該ファイル名に応じて複数のＪＰＥＧファイルから１つを選択するようにしてもよい。
【０１０４】
続いて、ＣＰＵ２１９は、図８（Ｂ）で説明したＲＡＷファイル位置取得処理を行う（ステップＳ１１０２）。そして、ＣＰＵ２１９はＲＡＷファイルに係る位置情報が取得できたか否かを判定する（ステップＳ１１０３）。
【０１０５】
位置情報が取得できると（ステップＳ１１０３において、ＹＥＳ）、ＣＰＵ２１９は、図９（Ｂ）で説明したＲＡＷファイル検索現像処理を対象の保存機器に要求する処理を行う（ステップＳ１１０４）。ここでは、説明の簡略化のため、ＲＡＷファイルが存在する保存機器が一つである場合について説明する。
【０１０６】
なお、ＲＡＷファイルが存在する保存機器情報が複数ある場合については、携帯端末１０１で選択した保存機器においてＲＡＷファイル検索現像処理が行われる。
【０１０７】
続いて、ＣＰＵ２１９は、後述するＲＡＷ現像画像表示処理を実行する（ステップＳ１１０５）。そして、ＣＰＵ２１９はＲＡＷ現像表示処理を終了する。一方、位置情報が取得できないと（ステップＳ１１０３において、ＮＯ）、ＣＰＵ２１９はＲＡＷ現像表示処理を終了する。
【０１０８】
図１１（Ｂ）を参照して、ＲＡＷ現像画像表示処理を開始すると、ＣＰＵ２１９は保存機器から現像処理後の画像を取得することができたか否か判定する（ステップＳ１１２１）。現像処理後の画像（ＲＡＷ現像画像）が取得できると（ステップＳ１１２１において、ＹＥＳ）、ＣＰＵ２１９はＲＡＷ現像画像を表示部２１６に表示する（ステップＳ１１２３）。そして、ＣＰＵ２１９はＲＡＷ現像画像表示処理を終了する。
【０１０９】
一方、ＲＡＷ現像画像が取得できないと（ステップＳ１１２１において、ＮＯ）、ＣＰＵ２１９はＲＡＷファイルが検索できなかった旨を表示部に表示する（ステップＳ１１２４）。そして、ＣＰＵ２１９はＲＡＷ現像画像表示処理を終了する。
【０１１０】
このように、本発明の第１の実施形態では、携帯端末１０１において同時記憶ＪＰＥＧファイルを選択して同時記録ＲＡＷファイルを現像した画像を表示する際、携帯端末１０１はＲＡＷファイルの存在する保存機器をサーバー装置１０７に問い合わせる。そして、携帯端末１０１は当該保存機器にＲＡＷファイルの検索および現像を要求して現像画像を取得する。
【０１１１】
この結果、保存機器は同時記憶ＲＡＷファイルを現像した画像（例えば、ＪＰＥＧ画像）を携帯端末１０１に送信することになる。つまり、保存機器はＲＡＷファイルよりもその容量（サイズ）が小さい現像画像を携帯端末１０１に送信することになる。よって、携帯端末１０１においては効率よくＲＡＷ現像画像を表示することができる。
【０１１２】
なお、ＲＡＷファイルが存在する保存機器が複数ある場合には、現像処理能力が最大の保存機器で現像すれば効率よく現像処理を行ってＲＡＷ現像画像を取得できることができる。この場合、サーバー装置１０７の保存機器情報は保存機器の現像能力を示す現像能力情報をさらに備える。そして、携帯端末１０１はサーバー装置１０７から保存機器情報を受信し、ＲＡＷファイルが存在する複数の保存機器のうち、現像能力が最大の保存機器から順に検索ＲＡＷファイル検索現像要求処理を実行するようにしてもよい。なお、現像能力情報は、Ｓ８０９において位置情報とともにその対応する現像能力情報を受信すればよい。あるいは、Ｓ８０９において複数の保存機器の位置情報を受信した場合に、携帯端末１０１がサーバー装置１０７に問い合わせて複数の保存機器に対応する現像能力情報を受信するようにしてもよい。
【０１１３】
図１２は、携帯端末１０１において、現像能力情報を含む保存機器情報を受信した場合のＲＡＷファイル検索現像要求処理（図１１（Ａ）に示すステップＳ１１０４の処理に対応する）を説明するためのフローチャートである。
【０１１４】
まず、携帯端末１０１において、ＣＰＵ２１９は現像能力情報取得処理を行う（ステップＳ１２２１）。続いて、ＣＰＵ２１９は、現像能力情報に基づいて、ＲＡＷファイルが存在する複数の保存機器についてその保存機器情報を現像能力の大きい順番に並べる。そして、ＣＰＵ２１９は現像能力の大きい保存機器から順番に次の処理を行う（ステップＳ１２２２）。
【０１１５】
ＣＰＵ２１９は、図９（Ｂ）で説明したＲＡＷファイル検索現像を対象の保存機器に要求する処理（ＲＡＷファイル検索現像要求処理）を行う（ステップＳ１２２３）。そして、ＲＡＷファイル検索現像処理が成功してＲＡＷ現像画像が取得できると（ステップＳ１２２４）、ＣＰＵ２１９はＲＡＷファイル検索現像要求処理を終了する。あるいは、ＣＰＵ２１９は、現像能力情報に基づいて、ＲＡＷファイルが存在する複数の保存機器のうち現像能力が最大の保存機器に対してＲＡＷファイル検索現像要求処理を行い、成功すればＲＡＷファイル検索現像要求処理を終了する。一方、失敗すれば、残りの複数の保存機器に対して現像能力の大きさに関わらず、ＲＡＷファイル検索現像要求処理を行うようにしてもよい。
【０１１６】
このように、ＲＡＷファイルが存在する保存機器が複数ある場合には、携帯端末１０１は現像能力の大きい保存機器を優先してＲＡＷファイル検索現像処理要求を行う。これによって、携帯端末１０１は効率よく現像処理を行ってＲＡＷ現像画像を取得することができる。
【０１１７】
また、保存機器がネットワークに接続されていない状態で、携帯端末１０１が当該保存機器にＲＡＷファイル検索現像要求処理を行うと、通信の失敗によってＲＡＷ現像画像を取得することができない。
【０１１８】
そこで、携帯端末１０１は保存機器がネットワーク接続可能であるか否かを判定して通信可能な保存機器に対してＲＡＷファイル検索現像要求処理を行うようにしてもよい。
【０１１９】
図１３は、携帯端末１０１のＲＡＷ現像表示処理において、保存機器のネットワークへの接続状況を判定する場合の動作を説明するためのフローチャートである。
【０１２０】
携帯端末１０１において、ＣＰＵ２１９は、図１１（Ａ）に示すステップＳ１１０１の処理と同様にしてＪＰＥＧ画像選択処理を行う（ステップＳ１３０１）。そして、ＣＰＵ２１９は、ステップＳ１１０２の処理と同様にしてＲＡＷファイル位置取得処理を行う（ステップＳ１３０２）。
【０１２１】
次に、ＣＰＵ２１９は通信可能な保存機器を求める（ステップＳ１３０３）。ここでは、ＣＰＵ２１９は各保存機器と通信してそのネットワーク通信状態を調べることによって通信可能な保存機器を求める。そして、ＣＰＵ２１９は通信可能な保存機器について順にステップＳ１３０５からステップＳ１３０７の処理を行う（ステップＳ１３０４）。
【０１２２】
ステップＳ１３０５においては、ＣＰＵ２１９は図９（Ｂ）で説明したＲＡＷファイル検索現像を対象機器に要求する処理（ＲＡＷファイル検索現像要求処理）を行う。そして、ステップＳ１３０７において、ＣＰＵ２１９はＲＡＷファイル検索現像要求処理の結果に応じて、ＲＡＷ現像画像を取得することができたか否かを判定する。
【０１２３】
ステップＳ１３０７においてＲＡＷ現像画像を取得できなかった場合には、ＣＰＵ２１９はステップＳ１３０５に戻って次の保存機器に対して処理を繰り返すことになる。ステップＳ１３０７においてＲＡＷ現像画像を取得できた場合、ＣＰＵ２１９は、図１１（Ｂ）で説明したＲＡＷ現像画像表示処理を行って（ステップＳ１３０８）、ＲＡＷ現像表示処理を終了する。
【０１２４】
なお、上記では複数の保存機器について順にＲＡＷファイル検索現像要求処理を実行し、いずれか１つの保存機器からＲＡＷ現像画像を受信するとＲＡＷ現像表示処理を終了する場合について説明した。しかし、これに限らず、通信可能と判定されたすべての複数の保存機器についてＲＡＷファイル検索現像要求処理を実行するようにしてもよい。
【０１２５】
このように、携帯端末１０１はネットワークに接続されて通信可能な保存機器を判定して、通信可能な保存機器に対してＲＡＷファイル検索現像要求処理を行う。これによって、例えば、携帯端末１０１は、ネットワーク上のＰＣ１０５がオフラインであっても、カメラ１０２が近接ネットワークを介して通信可能であれば、カメラに対してＲＡＷファイル検索現像要求処理を行い、ＲＡＷ現像画像を取得することができる。
【０１２６】
また、保存機器が電源オフの状態であるときも、携帯端末１０１は保存機器にＲＡＷファイル検索現像要求処理を行っても、ＲＡＷ現像画像を取得できない。
【０１２７】
携帯端末１０１は保存機器が遠隔起動可能であるか否かを示す情報を取得し、遠隔起動が可能な保存機器が電源オフの状態の場合は、保存機器は遠隔起動してからＲＡＷファイル検索現像要求処理を行うようにしてもよい。この場合、サーバー装置１０７の保存機器情報は保存機器の遠隔起動可否情報をさらに備え、携帯端末１０１はサーバー装置１０７から保存機器情報を受信する。
【０１２８】
例えば、ＷＯＬ（Ｗａｋｅ  ｏｎ  ＬＡＮ）の機能によって、シャットダウン又はスリープ状態の機器が、起動パケット（Ｍａｇｉｃ  Ｐａｃｋｅｔ）を外部機器から受信すると、当該機器を起動することが可能である。よって、遠隔起動可否情報は、例えば、各保存機器がＷＯＬ対応機器であるか否かを示す情報である。
【０１２９】
携帯端末１０１は保存機器が起動中であるか否かを判定し、保存機器が起動中でないと、遠隔起動可否情報を参照する。
【０１３０】
携帯端末１０１は保存機器が遠隔起動可能であると判定すれば保存機器に起動パケットを送信して、保存機器を起動させ。その後、携帯端末１０１のＣＰＵ２１９は図９（Ｂ）で説明したＲＡＷファイル検索現像処理を起動後の保存機器に要求する処理を行う。
【０１３１】
このように、ＲＡＷファイルが存在する保存機器が起動中でない場合には、携帯端末１０１は当該保存機器を遠隔起動するようにしてので、ＲＡＷファイルが存在する保存機器においてＲＡＷファイル検索現像処理を行うことができる。
【０１３２】
また、上記では要求機器がファイル登録要求情報をサーバー装置１０７に送信することに応じて、サーバー装置１０７がファイル管理情報を更新するように説明した。しかし、これに限らず、サーバー装置１０７は定期的に保存機器に存在するＲＡＷファイルに関する情報を要求し、保存機器からの応答に応じてファイル管理情報を更新するようにしてもよい。
【０１３３】
このようにして、サーバー装置１０７は、常に最新のファイル管理情報を記録することができる。また、ファイル管理情報においてさらに保存機器におけるファイルパス情報を保持するようにしてもよい。そして、保存機器は、指定されたファイルパス情報にしたがって機器内の検索を行った後、当該ファイルパスパス情報で示される場所にＲＡＷファイルが存在しないと、さらに自機器において検索を行うようにしてもよい。
【０１３４】
このようにして、保存機器ではまず指定されたファイルパスにＲＡＷファイルが存在するかを検索するようにしたので、ＲＡＷファイルを素早く検索することができる。また、上記においては、携帯端末１０１はＲＡＷファイルに関する位置情報をサーバー装置１０７から取得し、位置情報に対応する保存機器に対してＲＡＷファイル検索現像要求処理を行ようにした。しかしながら、これに限らず、サーバー装置１０７にファイル管理情報を保存しないようにしてもよい。そして、携帯端末１０１は、図３のステップＳ３０６でサーバー装置１０７により更新された機器情報を取得し、これに応じて、ＲＡＷファイルが存在する保存機器であるか否かにかかわらず、機器に対してＲＡＷファイル検索現像要求処理を行って、ＲＡＷ現像画像を取得するようにしてもよい。そして、複数の機器について順にＲＡＷファイル検索現像要求処理を実行し、いずれか１つの機器からＲＡＷ現像画像を受信するとＲＡＷ現像表示処理を終了する。あるいは、すべての複数の機器についてＲＡＷファイル検索現像要求処理を実行するようにしてもよい。
【０１３５】
このように、サーバー装置１０７にファイル管理情報が保存されていなくても、機器情報が示す機器に対してＲＡＷファイル検索現像要求処理を行い、いずれかの機器からＲＡＷ現像画像を受信することができる。
【０１３６】
また、上記においては、保存機器がＲＡＷファイルを検索して当該ＲＡＷファイル現像処理し、ＲＡＷ現像画像を携帯端末１０１に送信するようにした。しかし、これに限らず、保存機器は検索の結果得られたＲＡＷファイルを携帯端末１０１に送るようにしてもよい。そして、携帯端末１０１においてＲＡＷファイルを現像処理してＲＡＷ現像画像を生成し、表示するようにしてもよい。
【０１３７】
［第２の実施形態］
続いて、本発明の第２の実施形態に係る画像処理システムの一例について説明する。なお、第２の実施形態に係る画像処理システムの構成は図１および図２に示す画像処理システムと同様である。
【０１３８】
上記の実施形態においては、サーバー装置１０７において保存機器情報、ファイル管理情報、現像能力情報、および起動可能情報を管理している。本実施形態では、携帯端末１０１が保存機器情報、ファイル管理情報、現像能力情報、および起動可能情報を保持する場合について説明する。
【０１３９】
図３（Ａ）に示す機器登録処理においては、ステップＳ３０３の処理で要求機器は機器登録要求情報をサーバー装置１０７に送信するようにしたが、本実施形態では要求機器は携帯端末１０１に送信する。
【０１４０】
また、図３（Ａ）に示すステップＳ３０５およびステップＳ３０６の処理では、サーバー装置１０７が機器登録要求を受信して保存機器情報を更新するが、本実施形態では、携帯端末１０１がステップＳ３０５およびステップＳ３０６の処理を実行する。
【０１４１】
次に、図６に示すファイル登録処理において、ステップＳ６０３の処理で保存機器はファイル登録要求情報をサーバー装置１０７に送信するが、本実施形態では、保存機器は携帯端末１０１にファイル登録要求情報を送信する。
【０１４２】
また、図６に示すステップＳ６０５およびステップＳ５０６の処理ではサーバー装置１０７がファイル登録要求を受信してファイル管理情報を更新するが、本実施形態では、携帯端末１０１がステップＳ６０５およびステップＳ６０６の処理を実行する。
【０１４３】
さらに、上記実施形態では、サーバー装置１０７が定期的にファイル情報更新処理を行うようにしたが、本実施形態では、携帯端末１０１がファイル情報更新処理を定期的に実行する。
【０１４４】
図１４は、本実施形態に係る画像処理システムにおいて、携帯端末１０１、カメラ１０２、ＰＣ１０５の動作を示すシーケンス図である。
【０１４５】
カメラ１０２は撮像処理によりＲＡＷファイルとＪＰＥＧファイルを生成してメモリカード等の記録媒体に記録している。そして、カメラ１０２はＪＰＥＧファイルと画像ＩＤを携帯端末１０１に送信する（Ｓ１４０１）。カメラ１０２は、例えばＰＣ１０５等の外部機器にＲＡＷファイルと画像ＩＤを送信する（Ｓ１４０２）。ＲＡＷファイルを保持するカメラ１０２やＰＣ１０５等の外部機器は、ファイル登録要求情報を携帯端末１０１へ送信し（Ｓ１４０３）、携帯端末１０１はファイル登録要求情報に基づき、ファイル管理情報更新処理を実行する（Ｓ１４０４）。
【０１４６】
携帯端末１０１は、複数のＪＰＥＧファイルと対応するサムネイル画像を表示部に一覧表示し、ユーザの操作に応答して、サムネイル画像を選択し、選択されたサムネイル画像と対応するＪＰＥＧファイルの画像ＩＤを選択する（Ｓ１４０５）。携帯端末１０１は、画像ＩＤに基づきファイル管理情報を参照し、画像ＩＤと対応するＲＡＷファイルを保持する機器に関する情報（位置情報）を取得する（Ｓ１４０６）。携帯端末１０１は、位置情報に基づき、ＲＡＷファイルを保持する機器（カメラ１０２またはＰＣ１０５）に接続して通信し、画像ＩＤを用いてＲＡＷファイル検索現像要求処理を実行する（Ｓ１４０７）。ＲＡＷファイルを保持する機器は、画像ＩＤと対応するＲＡＷファイルを検索し（Ｓ１４０８）、検索されたＲＡＷファイルに対して現像処理を実行してＲＡＷ現像画像を生成する（Ｓ１４０９）。ＲＡＷファイルを保持する機器は、ＲＡＷ現像画像を携帯端末１０１へ送信する（Ｓ１４１０）。
【０１４７】
なお、ＲＡＷ現像画像は携帯端末１０１へ送信する代わりに、ＷＥＢサーバー装置へアップロードし、ＲＡＷ現像画像のＵＲＬを携帯端末１０１へ送信するようにしてもよい。これにより、携帯端末１０１は当該ＵＲＬに基づき、ＲＡＷ現像画像をダウンロードすることができる。
【０１４８】
このように、本実施形態では、携帯端末１０１が保存機器情報、ファイル管理情報、現像能力情報、および起動可能情報を保持するので、携帯端末１０１は他の機器に問い合わせなどを行うことなく、迅速に現像処理結果を得ることができる。
【０１４９】
さらに、現像能力情報や起動可能情報が携帯端末１０１に記録されていれば、携帯端末１０１は現像能力情報又は起動可能情報を用いて複数の保存機器のうち、現像処理結果を早く得られる可能性の高い保存機器に対して優先的に処理を行うことができる。
【０１５０】
なお、携帯端末１０１はステップＳ１４０４において、ファイル管理情報の代わりに機器登録要求情報を受信し、機器情報更新処理を実行するようにしてもよい。そして、携帯端末１０１はステップＳ１４０６において、更新された機器情報に基づき、選択された画像ＩＤのＲＡＷファイルを保持するか否かに関わらず、機器に対してＲＡＷファイル検索現像要求処理を行うようにしてもよい。
【０１５１】
以上、本発明について実施の形態に基づいて説明したが、本発明は、これらの実施の形態に限定されるものではなく、この発明の要旨を逸脱しない範囲の様々な形態も本発明に含まれる。
【０１５２】
例えば、上記の実施の形態の機能を制御方法として、この制御方法を情報処理装置に実行させるようにすればよい。また、上述の実施の形態の機能を有するプログラムを制御プログラムとして、当該制御プログラムを情報処理装置が備えるコンピュータに実行させるようにしてもよい。なお、制御プログラムは、例えば、コンピュータに読み取り可能な記録媒体に記録される。
【０１５３】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１５４】
１０１  携帯端末
１０２  カメラ
１０５  ＰＣ
１０７  サーバー装置
１０９  ルーター
２０１  ＳＳＤ
２０８  ＤＲＡＭ
２１７  入力部
２１８  通信部
２１９  ＣＰＵ
【図１】
2016048911.tif 000003
【図２】
2016048911.tif 000004
【図３】
2016048911.tif 000005
【図４】
2016048911.tif 000006
【図５】
2016048911.tif 000007
【図６】
2016048911.tif 000008
【図７】
2016048911.tif 000009
【図８】
2016048911.tif 000010
【図９】
2016048911.tif 000011
【図１０】
2016048911.tif 000012
【図１１】
2016048911.tif 000013
【図１２】
2016048911.tif 000014
【図１３】
2016048911.tif 000015
【図１４】
2016048911.tif 000016